(57)【要約】【課題】単品生産あるいは少量生産される場合でもコストを低く抑えることができ、そのうえ付着物による葉紙面同士の貼り付きなどの不具合が起きにくいアルバムを提供することである。【解決手段】複数枚の葉紙１の一端側を連結し、さらにこの連結体を、おもて表紙２と裏表紙３との間に配置して構成されたアルバムであって、葉紙１は、表面に所定の写真画像情報および／または文字情報が記録された第１の印画紙１２と、同じく表面に所定の写真画像情報および／または文字情報が記録された第２の印画紙１３と、を具備し、第１の印画紙１２における裏面と第２の印画紙１３における裏面とを貼り合わせることにより構成されたものであるアルバム。【選択図】    図２
2005022234.tif 000002
【特許請求の範囲】
【請求項１】
複数枚の葉紙の一端側を連結し、さらにこの連結体を、おもて表紙と裏表紙との間に配置して構成されたアルバムであって、
前記葉紙は、
表面に所定の写真画像情報および／または文字情報が記録された第１の印画紙と、
表面に所定の写真画像情報および／または文字情報が記録された第２の印画紙とを具備し、
前記第１の印画紙における裏面と前記第２の印画紙における裏面とを貼り合わせることにより構成されたものであることを特徴とするアルバム。
【請求項２】
複数枚の葉紙の一端側を連結し、さらにこの連結体を、おもて表紙と裏表紙との間に配置して構成されたアルバムであって、
前記葉紙は、
表面に所定の写真画像情報および／または文字情報が記録された第１の印画紙と、
表面に所定の写真画像情報および／または文字情報が記録された第２の印画紙と、
台紙とを具備し、
前記台紙の一面に前記第１の印画紙における裏面側を貼着し、かつ、前記台紙の他面に前記第２の印画紙における裏面側を貼着することにより構成されたものであることを特徴とするアルバム。
【請求項３】
葉紙を構成する、第１の印画紙および／または第２の印画紙の表面には、さらに背景模様が形成されてなることを特徴とする請求項１または請求項２に記載のアルバム。
【請求項４】
アルバムの作製支援システムであって、
前記アルバムの作製を依頼する顧客側に設置された、通信機能を有する情報入出力端末と、
前記顧客からの依頼を受けて前記アルバムを作製する作製者側に設置された、通信機能を有する情報処理サーバとを具備し、
前記情報入出力端末を介して前記顧客側から送信されてきた元アルバム原稿情報を、前記情報処理サーバが、規定の様式に変換してから前記顧客に返送し、前記顧客の了解を得た後、変換された元アルバム原稿情報を最終アルバム原稿情報として蓄積し、前記アルバムの作製にあたって、蓄積された前記最終アルバム原稿情報を供出するよう構成されてなることを特徴とするアルバム作製支援システム。
【請求項５】
上記請求項１〜請求項３のいずれかに記載のアルバムの作製支援システムであって、
前記アルバムの作製を依頼する顧客側に設置された、通信機能を有する情報入出力端末と、
前記顧客からの依頼を受けて前記アルバムを作製する作製者側に設置された、通信機能を有する情報処理サーバとを具備し、
前記情報入出力端末を介して前記顧客側から送信されてきた元アルバム原稿情報を、前記情報処理サーバが、規定の様式に変換してから前記顧客に返送し、前記顧客の了解を得た後、変換された元アルバム原稿情報を最終アルバム原稿情報として蓄積し、前記アルバムの作製にあたって、蓄積された前記最終アルバム原稿情報を供出するよう構成されてなることを特徴とするアルバム作製支援システム。
【請求項６】
アルバムの作製支援方法であって、
情報入出力端末を介して、顧客側から作製者側の情報処理サーバに元アルバム原稿情報を送信する第１のステップと、
前記情報処理サーバが、前記第１のステップにて前記顧客側から送信されてきた元アルバム原稿情報を、規定の様式に変換してから前記顧客に返送する第２のステップと、
前記顧客の了解を得た後、前記第２のステップにて前記顧客に返送した変換された元アルバム原稿情報を、最終アルバム原稿情報としてデータベースに蓄積する第３のステップとを具備するとともに、
前記第１〜第３のステップを必要に応じて順に繰り返し実施し、前記アルバムの作製にあたって、前記データベースに蓄積された前記最終アルバム原稿情報を供出することを特徴とするアルバム作製支援方法。
【請求項７】
上記請求項１〜請求項３のいずれかに記載のアルバムの作製支援方法であって、
情報入出力端末を介して、顧客側から作製者側の情報処理サーバに元アルバム原稿情報を送信する第１のステップと、
前記情報処理サーバが、前記第１のステップにて前記顧客側から送信されてきた元アルバム原稿情報を、規定の様式に変換してから前記顧客に返送する第２のステップと、
前記顧客の了解を得た後、前記第２のステップにて前記顧客に返送した変換された元アルバム原稿情報を、最終アルバム原稿情報としてデータベースに蓄積する第３のステップとを具備するとともに、
前記第１〜第３のステップを必要に応じて順に繰り返し実施し、前記アルバムの作製にあたって、前記データベースに蓄積された前記最終アルバム原稿情報を供出することを特徴とするアルバム作製支援方法。
【発明の詳細な説明】
【０００１】
【発明の属する技術分野】
本発明は、たとえば、個人の経歴や思い出などを収めたアルバムおよびその作製支援技術に関するものである。
【０００２】
【発明が解決しようとする課題】
最近、自叙伝的なアルバムの作製に関心が集まっている。ところで、こうした種類のアルバムは、卒業アルバムなどとは異なり、大量に生産されるものではない。基本的には、依頼主用として１冊だけ、あるいは配布用を含め多くても数冊程度が生産されるにすぎない。そこで、次のような問題が生じる。
【０００３】
大量生産されるアルバムの場合には、通常、印刷によって所定の画像を用紙に形成している。こうした手法は、アルバムの発注冊数がある一定以上の場合には優れた生産効率を発揮する。しかしながら、数冊程度のアルバムを印刷によって生産すると、１冊あたりのコストが著しく高くついてしまう。この結果、アルバム作製料金（アルバム代金）は高額とならざるを得ず、発注がためらわれることが多かった。
【０００４】
【課題を解決するための手段】
こうした問題を解決するべく本発明者は、印刷に替えて、写真画像などを印画紙に焼き付けることでアルバムを作製することを考えた。こうすれば、単品生産あるいは少量生産でもコストが低く抑えられ、印刷による場合に比べ、はるかに低料金でアルバムの作製が可能となる。
【０００５】
さらに本発明者は、上記手法を採用する場合、印画紙として筆記性を有するものを用いるのが、いっそう望ましいことを見出した。すなわち、アルバムは、葉紙面に皮脂や水滴、唾液の飛沫などが付着したままの状態で閉じられ、長期間放置されることが多い。これは、印刷により作製されたアルバムであれば、さほど重大な問題にはならない。しかしながら、印画紙を用いて作製されたアルバムでは、印画紙自体の特性から、付着物によって葉紙面同士が貼り付いて開かなくなることが考えられる。だが、上述したとおり印画紙として筆記性を有するものを採用すれば、こうした不具合は解消される。
【０００６】
したがって本発明の目的は、単品生産あるいは少量生産される場合でもコストを低く抑えることができ、そのうえ付着物による葉紙面同士の貼り付きなどの不具合が起きにくいアルバムを提供することである。また、本発明の目的は、アルバムを効率よく簡単に作製することが可能となるアルバム作製支援技術を提供することである。
【０００７】
上記の目的を達成するため本発明では、複数枚の葉紙の一端側を連結し、さらにこの連結体を、おもて表紙と裏表紙との間に配置して構成されたアルバムにおける上記葉紙として、表面に所定の写真画像情報および／または文字情報が記録された第１の印画紙と、表面に所定の写真画像情報および／または文字情報が記録された第２の印画紙とを具備し、上記第１の印画紙における裏面と上記第２の印画紙における裏面とを貼り合わせることにより構成されたものを採用した。
【０００８】
なお、本発明に係るアルバムにあっては、第１の印画紙および第２の印画紙として、いずれも筆記性のある印画紙が用いられてなることが特に好ましい。
【０００９】
ことに本発明では上記の目的を達成するため、アルバムの葉紙として、表面に所定の写真画像情報および／または文字情報が記録された第１の印画紙と、表面に所定の写真画像情報および／または文字情報が記録された第２の印画紙と、台紙とを具備し、この台紙の一面に上記第１の印画紙における裏面側を貼着し、かつ、上記台紙の他面に上記第２の印画紙における裏面側を貼着することにより構成されたものを採用した。
【００１０】
なお、この発明に係るアルバムにあっても先のものと同様、第１の印画紙および第２の印画紙として、いずれも筆記性のある印画紙が用いられてなることが特に好ましい。
【００１１】
さて、上述したとおり、印刷に替えて、画像を印画紙に焼き付けることでアルバムを作製すれば、単品生産あるいは少量生産する場合でもコストが低く抑えられ、印刷による場合に比べ格段に低料金でアルバムの作製が可能となる。そのうえ、印画紙として筆記性のあるものを用いることで、印刷により作製されたものと同様、付着物によって葉紙面同士が貼り付いて開かなくなるといった問題は起きなくなる。
【００１２】
つまり、不注意で、葉紙面に皮脂や水滴、唾液の飛沫などが付着した状態のままアルバムを閉じ、長期間放置した場合でも、アルバムの通覧が不可能になることはない。なお、上記葉紙を構成する、第１の印画紙および／または第２の印画紙の表面には、写真画像情報および／または文字情報に加えて、さらに背景模様を形成することもできる。
【００１３】
本明細書において「筆記性のある印画紙」とは、たとえば、シリカの超微粒子からなる透明な層が、最上面に形成された特殊な印画紙を意味する。なお、こうした印画紙やその製造方法については既に公知である（たとえば、特開平１０−１０４７９４号公報、特開平１０−１１１５４５号公報、特開平１０−２１３８８１号公報参照）。
【００１４】
ひるがえって、先の課題は、アルバム（ことに上述した構造のアルバム）の作製支援システムであって、アルバムの作製を依頼する顧客側に設置された、通信機能を有する情報入出力端末と、顧客からの依頼を受けてアルバムを作製する作製者側に設置された、通信機能を有する情報処理サーバとを具備し、情報入出力端末を介して顧客側から送信されてきた元アルバム原稿情報を、情報処理サーバが、規定の様式に変換してから顧客に返送し、顧客の了解を得た後、変換された元アルバム原稿情報を最終アルバム原稿情報として蓄積し、アルバムの作製にあたって、蓄積された最終アルバム原稿情報を供出するよう構成されてなることを特徴とするアルバム作製支援システムによって解決される。
【００１５】
また、同じく先の課題は、アルバム（ことに上述した構造のアルバム）の作製支援方法であって、情報入出力端末を介して、顧客側から作製者側の情報処理サーバに元アルバム原稿情報を送信する第１のステップと、情報処理サーバが、第１のステップにて顧客側から送信されてきた元アルバム原稿情報を、規定の様式に変換してから顧客に返送する第２のステップと、顧客の了解を得た後、第２のステップにて顧客に返送した変換された元アルバム原稿情報を、最終アルバム原稿情報としてデータベースに蓄積する第３のステップとを具備するとともに、これら第１〜第３のステップを必要に応じて順に繰り返し実施し、アルバムの作製にあたって、データベースに蓄積された最終アルバム原稿情報を供出することを特徴とするアルバム作製支援方法によって解決される。
【００１６】
こうした作製支援システムあるいは作製支援方法を採用することで、アルバムの作製が効率よく簡単に行えるようになり、その結果、顧客に低コストで良質なサービスを提供することが可能となる。
【００１７】
【発明の実施の形態】
以下、図１および図２を用い、本発明に係るアルバムの一実施形態について具体的に説明する。なお、図１は本実施形態に係るアルバムを開いた状態で示す斜視図、図２は同アルバムを構成する葉紙の拡大断面図である。
【００１８】
本実施形態に係るアルバム（以下、本アルバムという）は、個人の経歴や思い出などを収めたものであり、したがって１冊ないしは数冊程度が作製されることになる。つまり本アルバムは、単品生産品あるいは少量生産品である。
【００１９】
本アルバムは、主要構成要素として、図１からわかるように複数枚の葉紙１、おもて表紙２、そして裏表紙３を具備する。言い換えれば、本アルバムは、複数枚の葉紙１の一端側を背表紙４側で連結し、さらにこの連結体を、おもて表紙２と裏表紙３との間に配置して構成されたものである。
【００２０】
さて上記葉紙１は、図２に示すように、台紙１１、第１の印画紙１２、そして第２の印画紙１３から構成されている。さらに葉紙１、特に台紙１１は、その基端側が背表紙４の内側に位置する内背材１４に接着されており、この結果、全ての葉紙１は上述したように連結状態となっている。
【００２１】
第１の印画紙１２は、表面に所定の写真画像情報および文字情報（いずれか一方だけでも可）が記録された、筆記性を有するものである。また、第２の印画紙１３についても、やはり表面に所定の写真画像情報および文字情報（いずれか一方だけでも可）が記録された、筆記性を有するものである。
【００２２】
ここで、文字情報としては、たとえばアルバムの作製を依頼した人物の回顧録や回想録、その他の雑録などが挙げられる。なお、本実施形態で用いた筆記性のある印画紙は、シリカの超微粒子からなる透明な層を最上面に形成することで、そうした特性を付与したものである。
【００２３】
台紙１１の一面（上面）には、第１の印画紙１２における裏面側が貼着され、また、同じく台紙１１の他面（下面）には、第２の印画紙１３における裏面側が貼着されている。このように、台紙１１を挟んで、第１の印画紙１２と第２の印画紙１３とを背中合わせに接合することによって、上記葉紙１が出来上がっている。
【００２４】
なお、葉紙１を構成する、第１の印画紙１２および第２の印画紙１３（いずれか一方だけでも可）の表面には、写真画像情報および文字情報に加えて、さらに背景模様が形成されている。図１において、Ａ，Ｂ，Ｃで示すのが、それぞれ写真画像情報、文字情報、そして背景模様である。
【００２５】
さて、上述したごとく、印刷に替えて、画像を印画紙に焼き付けることでアルバムを作製すれば、それが単品あるいは少量生産品であってもコストが低く抑えられる。この結果、印刷による場合に比べ、格段に低料金でアルバムの作製が可能となる。そのうえ本実施形態では、第１の印画紙および第２の印画紙として筆記性のあるものを用いたので、印刷により作製した場合と同様、付着物によって葉紙面同士が貼り付いて開かなくなるといった問題は起きない。すなわち、不注意で、葉紙面に皮脂や水滴、唾液の飛沫などが付着したままの状態で閉じられ、そのまま長期間放置された場合でも、アルバムを通覧できなくなるといった不具合は生じない。
【００２６】
本実施形態では、葉紙として、台紙および第１、第２の印画紙から構成されたものを例に挙げたが、むろん本発明の様態はこれに限定されるわけではない。それ以外にも、たとえば台紙を省略し、第１の印画紙における裏面と第２の印画紙における裏面とを直に貼り合わせることにより葉紙を構成してもよい。ただし、この場合には、印画紙として比較的腰の強いものが使用されることになる。
【００２７】
続いて、本発明の一実施形態に係るアルバム作製支援システム（以下、本システムともいう）およびアルバム作製支援方法（以下、本方法ともいう）について、図３〜図５を用いて説明する。ここで、図３は本システムの概念図、図４は本方法を実施する際の手順を示すフロー図、図５は元アルバム原稿情報の入力完了時における情報入出力端末のモニターの表示状態を示す概略図である。
【００２８】
本システムは、図３からわかるように概して、通信機能を有する情報入出力端末（パーソナルコンピュータ）２１と、同じく通信機能を有する情報処理サーバ３１とから構成される。このうち情報入出力端末２１は、いうまでもなくアルバムの作製を依頼する顧客側に設置されており、情報処理サーバ３１とは、ネットワーク網（たとえばインターネット）４１を介して接続されている。なお、情報入出力端末２１には、補助入力手段として機能するスキャナ２２が接続されている。このスキャナ２２は、たとえば、アルバムに掲載する写真を画像情報として取り込む際に用いられる。
【００２９】
情報処理サーバ３１は、顧客からの依頼を受けてアルバムを作製する企業（作製者）側に設置されており、データベース３２を具備する。この情報処理サーバ３１は、上記情報入出力端末２１を介して、顧客側から送信されてきた元アルバム原稿情報を、規定の様式に変換してから顧客に返送する。そして、やはり情報入出力端末２１を介して顧客の了解（内容についての承認）を得た後、変換された元アルバム原稿情報を、最終アルバム原稿情報としてデータベース３２に蓄積する。
【００３０】
本システムは、アルバムの作製にあたって、こうして蓄積された最終アルバム原稿情報を供出するよう構成されている。つまり、この最終アルバム原稿情報を用いて、顧客から依頼を受けたアルバムが作製されることになる。
【００３１】
次に、本方法の実施手順について、図４および図５を用いて説明する。アルバムの作製にあたっては、まず、情報入出力端末２１を介して、顧客側から企業側の情報処理サーバ３１に、元アルバム原稿情報を送信する（第１のステップ：Ｓ１）。ここで、元アルバム原稿情報とは図５に示すようなものであり、企業側が指定した書式に従って顧客自身が創作（情報入出力端末２１を用いて入力）した文章、つまり文字情報部分Ｍと、顧客自身がスキャナ２２を用いて取り込んだ写真の画像情報部分Ｇとから構成される。
【００３２】
続いては、情報処理サーバ３１が、上記第１のステップＳ１にて顧客側から送信されてきた元アルバム原稿情報を、規定の様式に変換してから顧客に返送することになる（第２のステップ：Ｓ２）。ここで、規定の様式に変換された元アルバム原稿情報とは、たとえば図１に示すようなもので、実際のアルバム紙面を形成する最終様態を意味する。
【００３３】
変換された元アルバム原稿情報を受け取った顧客側では、その内容が意図したとおりのものであり、問題なしと判断すれば、情報入出力端末２１を介して、企業側にその旨を意思表示する。一方、内容に不満がある場合などは、もう一度あるいは数度の変換処理が行われて、それが顧客側に再送されることになる。
【００３４】
企業側では、顧客の了解を得たならば、上記第２のステップＳ２にて顧客に返送した、変換された元アルバム原稿情報を、最終アルバム原稿情報としてデータベース３２に蓄積する（第３のステップ：Ｓ３）。その後、上記第１のステップＳ１、第２のステップＳ２、そして第３のステップＳ３が、たとえば１か月程度の間隔を置いて、所定の回数だけ繰り返し実施されることになる。
【００３５】
こうして、アルバムの作製に必要な全ての最終アルバム原稿情報の蓄積が完了した後、アルバム作製が開始される。すなわち、データベース３２に蓄積されている全ての最終アルバム原稿情報が供出され、たとえば図１に示すようなアルバムが出来上がる。こうした作製支援システム（作製支援方法）を採用した場合には、アルバムの作製が非常に効率よく簡単に行えるようになり、その結果、顧客に低コストで良質なサービスを提供することが可能となる。
【００３６】
なお、本発明に係る作製支援技術が対象とするアルバムは、先に説明したものに限定されるわけではない。本発明の作製支援技術は、その他いかなる様態のアルバムの作製にも適用可能である。
【００３７】
【発明の効果】
本発明によれば、単品生産あるいは少量生産される場合でもコストを低く抑えることができ、そのうえ付着物による葉紙面同士の貼り付きなどの不具合が起きにくいアルバムを提供できる。また、本発明のアルバム作製支援技術によれば、アルバムを効率よく簡単に作製することが可能となる。
【図面の簡単な説明】
【図１】本発明の実施形態に係るアルバムを開いた状態で示す斜視図
【図２】本発明の実施形態に係るアルバムを構成する葉紙の拡大断面図
【図３】本発明の実施形態に係るアルバム作製支援システムの概念図
【図４】本発明の実施形態に係るアルバム作製支援方法を実施する際の手順を示すフロー図
【図５】元アルバム原稿情報の入力完了時における情報入出力端末のモニターの表示状態を示す概略図
【符号の説明】
Ａ          写真画像情報
Ｂ          文字情報
Ｃ          背景模様
１          葉紙
２          おもて表紙
３          裏表紙
４          背表紙
１１        台紙
１２        第１の印画紙
１３        第２の印画紙
１４        内背材
２１        情報入出力端末（パーソナルコンピュータ）
２２        スキャナ
３１        情報処理サーバ
３２        データベース
４１        ネットワーク網（インターネット）
Ｍ          元アルバム原稿情報の文字情報部分
Ｇ          元アルバム原稿情報の画像情報部分
【図１】
2005022234.tif 000003
【図２】
2005022234.tif 000004
【図３】
2005022234.tif 000005
【図４】
2005022234.tif 000006
【図５】
2005022234.tif 000007